(57)【要約】【課題】表示パネルの使用の自由度を向上させる表示体を提供する。【解決手段】シート状の表示物を表示平面板と背面部４とで挟み込んで保持する表示パネル６に適用可能な表示体１３であって、表示平面板と交換し得る表示盤面１４に立体形状を備える。【選択図】図３
2006162758.tif 000002
【特許請求の範囲】
【請求項１】
シート状の表示物を表示平面板と背面部とで挟み込んで保持する表示パネルに適用可能な表示体であって、前記表示平面板と交換し得る表示盤面に立体形状を備えたことを特徴とする表示体。
【請求項２】
立体形状は、表示盤面に収納部を備えて構成された請求項１記載の表示体。
【請求項３】
立体形状は、表示盤面を曲げて構成された請求項１又は２記載の表示体。
【請求項４】
収納部を表示盤面に対して着脱可能にした請求項２又は３記載の表示体。
【請求項５】
表示パネルの前方へ開閉可能な枠フレームに対し、枠フレームを開放した状態で、表示盤面を嵌め込んで配置するように構成された請求項１〜４のいずれかに記載の表示体。
【請求項６】
表示パネルの周方向へ分離可能な枠フレームに対し、枠フレームの少くとも一部を分離した状態で、表示盤面を差し込んで配置するように構成された請求項１〜４のいずれかに記載の表示体。
【発明の詳細な説明】
【技術分野】
【０００１】
本発明は、ポスター等を保持し得る表示パネルに適用可能な表示体に関するものである。
【背景技術】
【０００２】
図１１に示す如く、ポスター、チラシ、写真等のシート状の表示物１を保持し得る表示パネル２は、一般に、透明な板で形成される表示平面板３と、表示平面板３と略同形状に形成される背面部４と、周方向へ分離可能な矩形の枠フレーム５とを備えている。
【０００３】
表示パネル２を用いてシート状の表示物１を展示する際には、枠フレーム５の一辺部５ａを周方向（図１１では上方）へ分離して表示平面板３と背面部４の締結を外した後、表示平面板３と背面部４の間に表示物１を挟み込み、枠フレーム５により表示平面板３と背面部４の外周を締結して表示物１を保持し、壁掛けや立掛け等を介して表示物１を展示可能な状態にしている。又、シート状の表示物１を交換する際には、同様に表示平面板３と背面部４の締結を外し、シート状の表示物１を新たな表示物１に取り換え、表示物１を展示する際と略同様に、表示平面板３と背面部４の間に新たな表示物１を挟み込み、枠フレーム５を取り付けて表示平面板３と背面部４の外周を締結し、表示物１を交換している。なお、図１１中、５ｂは一辺部５ａを締結する取付部を示している。
【０００４】
一方、表示パネル２の中には枠フレーム５の構造を変更したものがあり、図１２〜図１４に示す如く、他の例の表示パネル６は、透明な板で形成される表示平面板３と、表示平面板３と略同形状に形成される背面部４と、前方向へ開閉可能な枠フレーム７とを備えている。
【０００５】
ここで、枠フレーム７は、背面部４の裏面を周方向に囲む枠部台座８と、表示平面板３の外周の四辺に配置される枠部材９とを備えており、枠部材９は、枠部台座８の軸体１０及び回動可能な挟持体１１を介し、枠部台座８に対して開閉可能に構成されている。又、枠部台座８と枠部材９の間には、板状バネ１２を配することにより、枠部材９を閉止状態若しくは開放状態で維持し得るようにしている。
【０００６】
表示パネル６を用いてシート状の表示物１を展示する際には、枠フレーム７の枠部材９を全て開放して表示平面板３を取り外した後、表示物１を背面部４に合わせ、表示平面板３を枠フレーム７に嵌め込んで配置し、枠フレーム７の枠部材９を全て閉止して表示物１を保持し、壁掛けや立掛け等を介して表示物１を展示可能な状態にしている。又、シート状の表示物１を交換する際には、枠フレーム７の枠部材９を全て開放して表示平面板３を取り外し、シート状の表示物１を新たな表示物１に取り換え、表示平面板３を枠フレーム７に嵌め込んで配置し、枠フレーム７の枠部材９を全て閉止して表示物１を保持し、表示物１の交換を行っている。
【０００７】
ここで、表示物１の表示パネル６に関連する先行技術文献としては、下記の特許文献１、２等が既に存在している。
【特許文献１】特開２０００−３４７５７５号公報
【特許文献２】特開平１１−１６１２１０号公報
【発明の開示】
【発明が解決しようとする課題】
【０００８】
しかしながら、このような表示パネル２，６は、表示できるものがシート状の表示物１に限定されるため、使用の自由度が著しく低いという問題があった。
【０００９】
本発明は、上述の実情に鑑み、表示パネルの使用の自由度を向上させる表示体を提供することを目的とするものである。
【課題を解決するための手段】
【００１０】
本発明は、シート状の表示物を表示平面板と背面部とで挟み込んで保持する表示パネルに適用可能な表示体であって、前記表示平面板と交換し得る表示盤面に立体形状を備えたことを特徴とする表示体、にかかるものである。
【００１１】
本発明において、立体形状は、表示盤面に収納部を備えて構成されても良い。
【００１２】
本発明において、立体形状は、表示盤面を曲げて構成されても良い。
【００１３】
本発明は、収納部を表示盤面に対して着脱可能にしても良い。
【００１４】
本発明において、表示パネルの前方へ開閉可能な枠フレームに対し、枠フレームを開放した状態で、表示盤面を嵌め込んで配置するように構成されても良い。
【００１５】
本発明において、表示パネルの周方向へ分離可能な枠フレームに対し、枠フレームの少くとも一部を分離した状態で、表示盤面を差し込んで配置するように構成されても良い。
【００１６】
このように、本発明の表示体によれば、シート状の表示物を保持する表示パネルの表示平面板を、立体形状を備えた表示盤面に交換し得るので、種々の立体形状を利用した使用状態を可能にし、表示パネルの使用の自由度を向上させることができる。
【００１７】
立体形状は、表示盤面に収納部を備えて構成されると、収納部に情報物を取出可能に入れ得るので、新たな使用状態で表示を行うことができる。又、表示盤面でシート状の表示物を保持すると同時に、収納部に情報物を取出可能に入れ得るので、複合的な表示を行うことができる。
【００１８】
立体形状は、表示盤面を曲げて構成されると、側方からでも表示盤面を認識し得るので、広範囲に表示内容を伝達する表示を行うことができる。
【００１９】
収納部を表示盤面に対して着脱可能にすると、収納部を所望の場所に配置し得るので、好適な状態で表示を行うことができる。又、収納部の配置を適宜変更し得るので、常に新たな状態で表示を行うことができる。
【００２０】
表示パネルの前方へ開閉可能な枠フレームに対し、枠フレームを開放した状態で、表示盤面を嵌め込んで配置するように構成されると、表示平面板と表示盤面を容易に交換し得るので、表示パネルの使用の自由度を一層向上させることができる。又、枠フレームを前方へ開閉可能にするので、表示盤面の立体形状に影響を受けることなく、好適に表示盤面を配置することができる。
【００２１】
表示パネルの周方向へ分離可能な枠フレームに対し、枠フレームの少くとも一辺部を分離した状態で、表示盤面を差し込んで配置するように構成されると、表示平面板と表示盤面を容易に交換し得るので、表示パネルの使用の自由度を一層向上させることができる。又、枠フレームを周方向へ分離可能にするので、表示盤面の立体形状に影響を受けることなく、好適に表示盤面を差し込んで配置することができる。
【発明の効果】
【００２２】
以上説明したように、本発明の表示体によれば、表示パネルの使用の自由度を向上させることができるという優れた効果を奏し得る。
【発明を実施するための最良の形態】
【００２３】
以下、本発明の実施の形態を図面に基いて説明する。
【００２４】
図１〜図６は本発明を実施する形態の第一例を示すもので、図１１〜図１４と同一の符号を付した部分は同一物を表わしている。
【００２５】
本形態の第一例の表示体１３は、表示平面板３と略同形状に形成される透明な表示盤面１４を備え、表示盤面１４には、周囲に余白部１５を介するよう複数の透明な収納部１６（図１では縦４列横３列で計１２個）を配置しており、収納部１６は、側面部１６ａ及び底面部１６ｂに正面部１６ｃを備えて上方に開口１６ｄを形成している。
【００２６】
ここで、収納部１６の配置は、特に限定されるものではなく、周囲に余白部１５を介するならばどのような個数や配置でも良く、図２に示す如く、中央に表面部１７を形成するように周方向に沿って収納部１６を配置しても良い。
【００２７】
以下、本発明を実施する形態の第一例の作用を説明する。
【００２８】
前方へ開閉可能な枠フレーム７を備えた表示パネル６に対し、第一例の表示体１３を適用する場合には、図３〜図５に示す如く、枠フレーム７の枠部材９を全て開放して従来の表示平面板３を取り外し、表示盤面１４を背面部４に合わせるよう枠フレーム７に嵌め込んで配置し、枠フレーム７の枠部材９を全て閉止して枠部材９により表示盤面１４の余白部１５を支持し、表示盤面１４を保持する。なお、シート状の表示物１のみを展示する際には、枠フレーム７の枠部材９を全て開放し、表示盤面１４を取り外して透明な表示平面板３に交換しても良い。
【００２９】
そして、表示盤面１４を使用する際には、収納部１６に小冊子やチラシ等の情報物（図示せず）を取出可能に収納して展示する。
【００３０】
又、収納部１６に情報物を取出可能に収納すると共にシート状の表示物１を合わせて展示する際には、枠フレーム７の枠部材９を全て開放して表示盤面１４若しくは表示平面板３を外した状態で、シート状の表示物１を背面部４に合わせ、表示盤面１４を枠フレーム７に嵌め込んで配置し、枠フレーム７の枠部材９を全て閉止し、収納部１６に情報物を取出可能に収納すると共に表示盤面１４を介しシート状の表示物１を保持して展示する。
【００３１】
一方、周方向へ分離可能な枠フレーム５を備えた表示パネル６に対し、第一例の表示体１３を適用する場合には、図６に示す如く、枠フレーム５の一辺部（一部）５ａを分離して従来の表示平面板３を取り外し、表示盤面１４を背面部４に合わせるよう枠フレーム５に差し込んで配置し、分離した枠フレーム５の一辺部５ａを戻して表示盤面１４を保持する。なお、シート状の表示物１のみを展示する際には、枠フレーム７の一辺部５ａを分離し、表示盤面１４を取り外して透明な表示平面板３に交換しても良い。
【００３２】
そして、表示盤面１４を使用する際には、収納部１６に小冊子やチラシ等の情報物（図示せず）を取出可能に収納して展示する。
【００３３】
又、収納部１６に情報物を取出可能に収納すると共にシート状の表示物１を合わせて展示する際には、表示平面板３と略同様に、枠フレーム５の一辺部５ａを分離して表示盤面１４若しくは表示平面板３を外した状態で、シート状の表示物１を背面部４に合わせ、表示盤面１４を差し込んで配置し、枠フレーム５の一辺部５ａを戻し、収納部１６に情報物を取出可能に収納すると共に表示盤面１４によりシート状の表示物１を保持して展示する。
【００３４】
このように、本形態の第一例の表示体１３によれば、シート状の表示物１を保持する表示パネル６の表示平面板３を、立体形状を備えた表示盤面１４に交換し得るので、種々の立体形状を利用した使用状態を可能にし、表示パネル６の使用の自由度を向上させることができる。
【００３５】
立体形状は、表示盤面１４に収納部１６を備えて構成されると、収納部１６に小冊子やチラシ等の情報物等を取出可能に入れ得るので、表示平面板３では従来不可能であった新たな使用状態で表示を行うことができる。又、表示盤面１４でシート状の表示物１を保持すると同時に、収納部１６に取出可能な情報物等を入れ得るので、複合的な表示を行うことができる。
【００３６】
表示パネル６の前方へ開閉可能な枠フレーム７に対し、枠フレーム７を開放した状態で、表示盤面１４を嵌め込んで配置するように構成されると、表示平面板３と表示盤面１４を容易に交換し得るので、表示パネル６の使用の自由度を一層向上させることができる。又、枠フレーム７を前方へ開閉可能にするので、表示盤面１４の立体形状に影響を受けることなく、好適に表示盤面１４を配置することができる。
【００３７】
表示パネル２の周方向へ分離可能な枠フレーム５に対し、枠フレーム５の少くとも一辺部（一部）５ａを分離した状態で、表示盤面１４を差し込んで配置するように構成されると、表示平面板３と表示盤面１４を容易に交換し得るので、表示パネル２の使用の自由度を一層向上させることができる。又、枠フレーム５を周方向へ分離可能にするので、表示盤面１４の立体形状に影響を受けることなく、好適に表示盤面１４を差し込んで配置することができる。
【００３８】
図７は本発明を実施する形態の第二例を示すもので、第一例と同一の符号を付した部分は同一物を表わしている。
【００３９】
本形態の第二例の表示体１８は、表示平面板３と略同形状に形成される透明な表示盤面１９を備え、表示盤面１９には、所定の間隔で複数の孔２０を形成しており、孔２０には、止めネジやフック等の締結手段２１を介して複数の透明な収納部２２を着脱可能にしている。
【００４０】
又、収納部２２は、取付部２２ａを備えた裏面部２２ｂに側面部２２ｃ及び底面部２２ｄを介し正面部２２ｅを設けて上方に開口２２ｆを形成している。
【００４１】
ここで、収納部２２の配置は、第一例と略同様に、特に限定されるものではなく、周囲に余白部２３を介するならばどのような個数や配置でも良く、中央に表面部を形成するように周方向に沿って収納部２２を配置しても良い。又、表示盤面１９に形成される孔２０は、全面に形成されても良いし、一定の間隔で形成されても良い。
【００４２】
以下、本発明を実施する形態の第二例の作用を説明する。
【００４３】
前方へ開閉可能な枠フレーム７を備えた表示パネル６に対し、第二例の表示体１８を適用する場合には、第一例と略同様に、枠フレーム７の枠部材９を全て開放して従来の表示平面板３を取り外し、表示盤面１９を背面部４に合わせるよう枠フレーム７に嵌め込んで配置し、枠フレーム７の枠部材９を全て閉止して枠部材９により表示盤面１９の余白部２３を支持し、表示盤面１９を保持する。次に、表示盤面１９に、止めネジやフック等の締結手段２１を介し収納部２２を所望の位置に取り付ける。ここで、表示盤面１９は、収納部２２を予め取り付けてから枠フレーム７に適用しても良い。
【００４４】
そして、表示盤面１９を使用する際には、収納部２２に小冊子やチラシ等の情報物（図示せず）を取出可能に収納して展示する。
【００４５】
又、収納部２２に情報物を取出可能に収納すると共にシート状の表示物１を合わせて展示する際には、表示平面板３と略同様に、枠フレーム７の枠部材９を全て開放して表示盤面１９若しくは表示平面板３を外した状態で、シート状の表示物１を背面部４に合わせ、表示盤面１９を枠フレーム７に嵌め込んで配置し、枠フレーム７の枠部材９を全て閉止し、収納部２２に情報物を取出可能に収納すると共に表示盤面１９によりシート状の表示物１を保持して展示する。
【００４６】
一方、周方向へ分離可能な枠フレーム５を備えた表示パネル２に対し、第一例の表示体１８を適用する場合には、第一例と略同様に適用する。
【００４７】
このように、本形態の第二例の表示体１８によれば、第一例と略同様な作用効果を得ることができる。又、収納部２２を表示盤面１９に対して着脱可能にすると、収納部２２を所望の場所に配置し得るので、好適な状態で表示を行うことができる。更に、収納部２２の配置を適宜変更し得るので、常に新たな状態で表示を行うことができる。
【００４８】
図８〜図１１は本発明を実施する形態の第三例を示すもので、第一例と同一の符号を付した部分は同一物を表わしている。
【００４９】
本形態の第三例の表示体２４は、曲げて構成された透明な表示盤面２５を備えており、表示盤面２５は、両側に平面状の取付部２６を備えると共に、取付部２６の間で半円弧の断面を形成するよう前方へ湾曲した立体形状部２７を備えている。
【００５０】
又、立体形状部２７の表面には、所定の間隔で複数の孔２８を形成しており、孔２８には、止めネジやフック等の締結手段２９を介して複数の透明な収納部３０を着脱可能にしている。
【００５１】
一方、収納部３０は、取付部３０ａを備えた裏面部３０ｂに側面部３０ｃ及び底面部３０ｄを介し正面部３０ｅを備えて上方に開口３０ｆを形成している。
【００５２】
ここで、表示盤面２５に形成される立体形状部２７は、取付部２６の間で半円弧の断面を形成するよう前方へ湾曲したものに限定されるものでなく、図９に示す如く、斜めの二つの平面２７ａを形成するよう垂直な屈曲部２７ｂを介して前方へ突出するものでも良く、図１０に示す如く、正面２７ｃ及び斜めの二つの平面２７ｄを形成するよう二つの垂直な屈曲部２７ｅを介して前方へ突出するものでも良い。又、収納部３０の配置は、第一例と略同様に、特に限定されるものではなく、両側に取付部２６を介するならばどのような個数や配置でも良く、中央に表面部を形成するように周方向に沿って収納部３０を配置しても良い。又、表示盤面２５に形成される孔２０は、立体形状部２７の全面に形成されても良いし、一定の間隔で形成されても良い。
【００５３】
以下、本発明を実施する形態の第三例の作用を説明する。
【００５４】
前方へ開閉可能な枠フレーム７を備えた表示パネル６に対し、第三例の表示体２４を適用する場合には、第一例と略同様に、枠フレーム７の枠部材９を全て開放して従来の表示平面板３を取り外し、表示盤面２５を背面部４に合わせるよう枠フレーム７に嵌め込んで配置し、枠フレーム７の枠部材９を全て閉止して枠部材９により表示盤面２５の取付部２６を支持し、表示盤面２５を保持する。ここで、表示盤面２５は、収納部３０を予め取り付けてから枠フレーム７に適用しても良い。
【００５５】
そして、表示盤面２５を使用する際には、収納部３０に小冊子やチラシ等の情報物（図示せず）を取出可能に収納して展示する。
【００５６】
又、収納部３０に情報物を取出可能に収納すると共にシート状の表示物１を合わせて展示する際には、表示平面板３と略同様に、枠フレーム７の枠部材９を全て開放して表示盤面２５若しくは表示平面板３を外した状態で、シート状の表示物１を背面部４に合わせ、表示盤面２５を枠フレーム７に嵌め込んで配置し、枠フレーム７の枠部材９を全て閉止し、収納部３０に情報物を取出可能に収納すると共に表示盤面２５によりシート状の表示物１を保持して展示する。
【００５７】
一方、周方向へ分離可能な枠フレーム５を備えた表示パネル２に対し、第一例の表示体２４を適用する場合には、第一例と略同様に、枠フレーム５の一辺部（一部）５ａを分離して従来の表示平面板３を取り外し、表示盤面２５を背面部４に合わせるよう枠フレーム５に差し込んで配置し、分離した枠フレーム５の一辺部５ａを戻して表示盤面２５を保持する。なお、シート状の表示物１のみを展示する際には、枠フレーム５の一辺部５ａを分離し、表示盤面２５を取り外して透明な表示平面板３に交換しても良い。
【００５８】
そして、表示盤面２５を使用する際には、収納部３０に小冊子やチラシ等の情報物を取出可能に収納して展示する。
【００５９】
このように、本形態の第三例の表示体２４によれば、第一例及び第二例と略同様な作用効果を得ることができる。又、立体形状は、表示盤面２５を曲げて構成されると、側方からでも表示盤面２５を認識し得るので、表示平面板３では従来不可能であった広範囲に表示内容を伝達するよう表示を行うことができる。
【００６０】
なお、本発明は、上述の実施の形態にのみ限定されるものではなく、表示平面板と交換し得る表示盤面に立体形状を備えたものであれば、収納部の個数及び配置は特に限定されるものではないこと、表示盤面を曲げた立体形状の構成も特に限定されるものではないこと、表示盤面の立体形状に底面を設けて立体形状内に種々の表示物を収納してもよいこと、その他、本発明の要旨を逸脱しない範囲内において種々変更を加え得ることは勿論である。
【図面の簡単な説明】
【００６１】
【図１】本発明の実施の形態の第一例を示す斜視図である。
【図２】本発明の実施の形態の第一例における他の例を示す斜視図である。
【図３】第一例の表示体を、前方へ開閉可能な表示パネルに備える前の状態を示す斜視図である。
【図４】第一例の表示体を、前方へ開閉可能な表示パネルに嵌め込んだ状態を示す斜視図である。
【図５】第一例の表示体を、前方へ開閉可能な表示パネルに保持した状態を示す斜視図である。
【図６】第一例の表示体を、周方向へ分離可能な表示パネルに備える前の状態を示す斜視図である。
【図７】本発明の実施の形態の第二例を、前方へ開閉可能な表示パネルに備える前の状態を示す斜視図である。
【図８】本発明の実施の形態の第三例を、前方へ開閉可能な表示パネルに備える前の状態を示す斜視図である。
【図９】本発明の実施の形態の第三例における他の例を、前方へ開閉可能な表示パネルに備える前の状態を示す斜視図である。
【図１０】本発明の実施の形態の第三例における別の例を、前方へ開閉可能な表示パネルに備える前の状態を示す斜視図である。
【図１１】従来の表示パネルの一例を示す斜視図である。
【図１２】従来の表示パネルの他の例を示す斜視図である。
【図１３】表示パネルの枠フレームを開放した状態を示す断面図である。
【図１４】表示パネルの枠フレームを閉止した状態を示す断面図である。
【符号の説明】
【００６２】
１    表示物
２    表示パネル
３    表示平面板
４    背面部
５    枠フレーム
５ａ  一辺部（一部）
６    表示パネル
７    枠フレーム
１３    表示体
１４    表示盤面
１６    収納部
１８    表示体
１９    表示盤面
２１    締結手段
２２    収納部
２４    表示体
２５    表示盤面
３０    収納部
【図１】
2006162758.tif 000003
【図２】
2006162758.tif 000004
【図３】
2006162758.tif 000005
【図４】
2006162758.tif 000006
【図５】
2006162758.tif 000007
【図６】
2006162758.tif 000008
【図７】
2006162758.tif 000009
【図８】
2006162758.tif 000010
【図９】
2006162758.tif 000011
【図１０】
2006162758.tif 000012
【図１１】
2006162758.tif 000013
【図１２】
2006162758.tif 000014
【図１３】
2006162758.tif 000015
【図１４】
2006162758.tif 000016